(57)【要約】【課題】  ２種類の化粧プレートに適合させることができる端子台とする。【解決手段】  端子台１１の台本体１１ａは、上部凸部１１ｉと中央凹部１１ｈと下部凸部１１ｊとにほぼ３等分されて形成されている。一対の係止片１４ｂを一対の矩形溝１１ｅに係合させることで、端子台ブランク１４を中央凹部１１ｈに着脱自在に取り付けることができる。縦に長い嵌合孔が化粧パネルに形成されている場合は、端子台ブランク１４を端子台１１の中央凹部１１ｈに取り付け、やや横長の嵌合孔が化粧パネルに２つ形成されている場合は、端子台ブランク１４を端子台１１の中央凹部１１ｈから取り外す。【選択図】  図２
2018046028.tif 000002
【特許請求の範囲】
【請求項１】
シールドケースと、該シールドケースの前面に着脱自在に取り付けられる端子台とを備える直列ユニットの端子台であって、
縦に長い矩形状の台本体には、前記シールドケースの前面から突出するよう設けられた出力端子の位置に対応して高さが高くされた凸部が形成され、該凸部には前記出力端子が挿通される円筒孔が形成されており、前記台本体には前記出力端子が設けられていない位置に対応して凹部が形成され、該凹部の両側においてほぼ対角線上に形成された一対の矩形溝とされた係合手段が設けられており、該係合手段により前記凹部に端子台ブランクが装着された際に、前記凹部の高さが前記凸部とほぼ同じ高さとなり、前記係合手段は前記凹部に前記端子台ブランクを取り外し自在に係合することができるようにされており、
前記端子台ブランクは、両側部を形成する壁部においてほぼ対角線上の位置から後方へ突出するよう形成された一対の係止片を有し、前記凹部に装着された際に、前記一対の係止片が前記一対の矩形溝とされた前記係合手段に係合されることを特徴とする端子台。
【請求項２】
シールドケースと、該シールドケースの前面に着脱自在に取り付けられる端子台とを備える直列ユニットの端子台であって、
縦に長い矩形状の台本体には、前記シールドケースの前面から突出するよう設けられた出力端子の位置に対応して高さが高くされた凸部が形成され、該凸部には前記出力端子が挿通される円筒孔が形成されており、前記台本体には前記出力端子が設けられていない位置に対応して凹部が形成され、該凹部の両側においてほぼ中央位置に形成された一対の矩形溝とされた係合手段が設けられており、該係合手段により前記凹部に端子台ブランクが装着された際に、前記凹部の高さが前記凸部とほぼ同じ高さとなり、前記係合手段は前記凹部に前記端子台ブランクを取り外し自在に係合することができるようにされており、
前記端子台ブランクは、両側部を形成する壁部においてほぼ中央位置から後方へ突出するよう形成された一対の係止片を有し、前記凹部に装着された際に、前記一対の係止片が前記一対の矩形溝とされた前記係合手段に係合されることを特徴とする端子台。
【請求項３】
シールドケースと、該シールドケースの前面に着脱自在に取り付けられる端子台とを備える直列ユニットの端子台であって、
縦に長い矩形状の台本体には、前記シールドケースの前面から突出するよう設けられた出力端子の位置に対応して高さが高くされた凸部が形成され、該凸部には前記出力端子が挿通される円筒孔が形成されており、前記台本体には前記出力端子が設けられていない位置に対応して凹部が形成され、該凹部のほぼ四隅に形成された４つの矩形溝とされた係合手段が設けられており、該係合手段により前記凹部に端子台ブランクが装着された際に、前記凹部の高さが前記凸部とほぼ同じ高さとなり、前記係合手段は前記凹部に前記端子台ブランクを取り外し自在に係合することができるようにされており、
前記端子台ブランクは、両側部を形成する壁部においてほぼ四隅から後方へ突出するよう形成された４つの係止片を有し、前記凹部に装着された際に、前記４つの係止片が前記４つの矩形溝とされた前記係合手段に係合されることを特徴とする端子台。
【発明の詳細な説明】
【技術分野】
【０００１】
本発明は、屋内の壁面等に設置され屋内のテレビ受信機等に受信信号を供給する直列ユニットの端子台に関する。
【背景技術】
【０００２】
直列ユニットは、一般に屋内の壁面に埋め込まれた箱状のボックスに取り付けて使用する。直列ユニットには、屋内のテレビ受信機等と同軸ケーブルで接続するための出力用の同軸端子と、壁の内部空間に配置されたアンテナ等の受信信号を導く同軸ケーブルが接続される入力用の同軸端子を備えている。従来の直列ユニットをボックスに取り付ける場合は、ボックスが壁面内に埋め込まれていることから、壁面に開口を設けることにより直列ユニットがボックスに取り付けられるようになる。そこで、ボックスの前面となる壁面の開口を閉塞するように、化粧プレートが取り付けられる。従来の直列ユニットの前面には端子台が装着されており、端子台に設けられている円筒孔から、直列ユニットの前面に設けられている同軸端子が突出するようになる。この端子台の外形形状は一般に矩形状とされている。そして、端子台には同軸端子が１個用、２個用、３個用の種類の異なる端子台があり、従来の直列ユニットに備えられている同軸端子の数に応じた種類の端子台が選択されて用いられている。また、化粧プレートには同軸端子の外形形状に合わせた嵌合孔が形成されていることから、端子台の種類にそれぞれ適合する種類の異なる化粧プレートが用意されており、従来の直列ユニットに備えられている端子台の形状に適合した種類の化粧プレートが用いられるようになる。
【０００３】
従来の直列ユニットがボックスに取り付けられている構成の例を図２０，図２１に示す。図２０（ａ）は従来の第１の直列ユニット１００がボックス１１９に取り付けられている構成例を示す斜視図であり、前面が開口された箱状のボックス１１９の前面には第１の化粧プレート１１５が取り付けられている。この第１の化粧プレート１１５の構成を示す正面図が図２２（ａ）に示されており、この図に示すように第１の化粧プレート１１５は、縦長の矩形状のプレート本体１１５ａから構成され、中央部に上部から下部に渡る縦長の矩形状の嵌合孔１１５ｂが形成されている。この嵌合孔１１５ｂの形状とほぼ同様の外形形状の第１の端子台１１１が嵌合孔１１５ｂからわずか突出している。第１の端子台１１１に設けられている２つの円筒孔内には、第１出力端子１２２と第２出力端子１２３とがそれぞれ配置される。
【０００４】
第１の端子台１１１の構成を示す斜視図を図２３（ａ）に示す。この図に示すように、第１の端子台１１１は、縦に長い矩形状の台本体１１１ａから構成され、台本体１１１ａの前面には２つの円筒孔１１１ｂが上下に形成され、円筒孔１１１ｂを形成するリング状部１１１ｃが後方へ延伸されて形成されている。第１の端子台１１１の４辺には壁部１１１ｆが形成されており、両側部を形成する壁部１１１ｆには、それぞれ円筒孔１１１ｂに対応する位置に係合片１１１ｄが形成されている。それぞれの係合片１１１ｄの先端部には段部と段部から先端に行くほど厚さが薄くなるテーパ状とされた係合爪１１１ｇが形成されている。
【０００５】
従来の第１の直列ユニット１００は第１のシールドケース１１０の前面に第１の端子台１１１を取り外し自在に固着して構成されている。この従来の第１の直列ユニット１００を分解して示す斜視図を図２４（ａ）に示す。この図に示すように、第１のシールドケース１１０の前面からは第１出力端子１２２と第２出力端子１２３とが前方へ突出して設けられており、後部には入力端子１２１が設けられている。また、第１のシールドケース１１０の両側の上下にコ字状の係合部１２０ｃがそれぞれ形成されている。この係合部１２０ｃには、細長い矩形状の係合孔が形成されている。さらに、第１のシールドケース１１０の上下には直列ユニット１００をボックス１１９や壁面に取り付けるための板状の取付部材が設けられており、この取付部材には長孔とされた挿通孔１１２ｂとネジ孔１１２ｈとが形成されている。
【０００６】
この第１のシールドケース１１０の前面に第１の端子台１１１を配置して、第１出力端子１２２と第２出力端子１２３に第１の端子台１１１の２つの円筒孔１１１ｂを位置合わせして、第１の端子台１１１を第１のシールドケース１１０の前面に押し込んでいく。これにより、第１の端子台１１１の両側面の上下にそれぞれ形成されている係合片１１１ｄが、第１のシールドケース１１０の前面に形成されている係合部１２０ｃに当接し、さらに第１の端子台１１１を押し込むことにより係合片１１１ｄの先端の係合爪１１１ｇが係合部１２０ｃの係合孔に係合するようになる。これにより、第１の端子台１１１が第１のシールドケース１１０の前面に取り外し自在に固着され、２つの円筒孔１１１ｂ内に第１出力端子１２２と第２出力端子１２３とが位置するようになる。
【０００７】
次に、図２０（ｂ）は従来の第２の直列ユニット２００がボックス１１９に取り付けられている構成例を示す斜視図であり、前面が開口された箱状のボックス１１９の前面には第２の化粧プレート１１７が取り付けられている。この第２の化粧プレート１１７の構成を示す正面図が図２２（ｂ）に示されており、この図に示すように第２の化粧プレート１１７は、縦長の矩形状のプレート本体１１７ａから構成され、上下のほぼ中央にやや横長の矩形状の嵌合孔１１７ｂが２つ形成されている。この２つの嵌合孔１１７ｂの形状とほぼ同様の外形形状の第２の端子台１３１が嵌合孔１１７ｂからわずか突出している。２つの第２の端子台１３１に設けられているそれぞれの円筒孔内には、第１出力端子１２２と第２出力端子１２３とがそれぞれ位置している。
【０００８】
第２の端子台１３１の構成を示す斜視図を図２３（ｂ）に示す。この図に示すように、第２の端子台１３１は、やや横長の矩形状の台本体１３１ａから構成され、台本体１３１ａの前面には円筒孔１３１ｂが中央部に形成され、円筒孔１３１ｂを形成するリング状部１３１ｃが後方へ延伸されて形成されている。第２の端子台１３１の４辺には壁部１３１ｆが形成されており、両側部を形成する壁部１３１ｆの中央部には、係合片１３１ｄが形成されている。それぞれの係合片１３１ｄの先端部には段部と段部から先端に行くほど厚さが薄くなるテーパ状とされた係合爪１３１ｇが形成されている。
【０００９】
従来の第２の直列ユニット２００は第１のシールドケース１１０の前面に第２の端子台１３１を取り外し自在に固着して構成されている。この従来の第２の直列ユニット２００を分解して示す斜視図を図２４（ｂ）に示す。第１のシールドケース１１０の構成は前述した通りである。この第１のシールドケース１１０の前面に第２の端子台１３１を２つ配置して、第１出力端子１２２と第２出力端子１２３に２つの第２の端子台１３１の円筒孔１３１ｂをそれぞれ位置合わせして、第２の端子台１３１を第１のシールドケース１１０の前面に押し込んでいく。これにより、第２の端子台１３１の両側面の中央部に形成されている係合片１３１ｄが、第１のシールドケース１１０の前面に形成されている係合部１２０ｃに当接し、さらに第２の端子台１３１を押し込むことにより係合片１３１ｄの先端の係合爪１３１ｇが係合部１２０ｃの係合孔に係合するようになる。これにより、２つの第２の端子台１３１が第１のシールドケース１１０の前面に取り外し自在にそれぞれ固着され、それぞれの円筒孔１３１ｂ内に第１出力端子１２２と第２出力端子１２３とが位置するようになる。
【００１０】
図２１（ａ）は従来の第３の直列ユニット３００がボックス１１９に取り付けられている構成例を示す斜視図であり、前面が開口された箱状のボックス１１９の前面には第１の化粧プレート１１５が取り付けられている。第１の化粧プレート１１５の構成は前述した通りである。第１の化粧プレート１１５の嵌合孔１１５ｂの形状とほぼ同様の外形形状の第３の端子台１４１が嵌合孔１１５ｂからわずか突出している。第３の端子台１４１に設けられている円筒孔内には、出力端子１２４が位置している。
【００１１】
第３の端子台１４１の構成を示す斜視図を図２３（ｃ）に示す。この図に示すように、第３の端子台１４１は、縦に長い矩形状の台本体１４１ａから構成され、台本体１４１ａの前面には円筒孔１４１ｂが中央部に形成され、円筒孔１４１ｂを形成するリング状部１４１ｃが後方へ延伸されて形成されている。第３の端子台１４１の４辺には壁部１４１ｆが形成されており、両側部を形成する壁部１４１ｆの中央部には、係合片１４１ｄが形成されている。係合片１４１ｄの先端部には段部と段部から先端に行くほど厚さが薄くなるテーパ状とされた係合爪１４１ｇが形成されている。
【００１２】
従来の第３の直列ユニット３００は第２のシールドケース２１０の前面に第３の端子台１４１を取り外し自在に固着して構成されている。この従来の第３の直列ユニット３００を分解して示す斜視図を図２５（ａ）に示す。この図に示すように、第２のシールドケース２１０の前面の中央部からは出力端子２２４が前方へ突出して設けられており、後部には入力端子２２１が設けられている。また、第２のシールドケース２１０の両側の中央部にコ字状の係合部２２０ｃがそれぞれ形成されている。この係合部２２０ｃには、細長い矩形状の係合孔が形成されている。さらに、第２のシールドケース２１０の上下には直列ユニット３００をボックス１１９や壁面に取り付けるための板状の取付部材が設けられており、この取付部材には長孔とされた挿通孔２１２ｂとネジ孔２１２ｈとが形成されている。
【００１３】
この第２のシールドケース２１０の前面に第３の端子台１４１を配置して、出力端子２２４に第３の端子台１４１の円筒孔１４１ｂを位置合わせして、第３の端子台１４１を第２のシールドケース２１０の前面に押し込んでいく。これにより、第３の端子台１４１の両側面の中央部に形成されている係合片１４１ｄが、第２のシールドケース２１０の前面に形成されている係合部２２０ｃに当接し、さらに第３の端子台１４１を押し込むことにより係合片１４１ｄの先端の係合爪１４１ｇが係合部２２０ｃの係合孔に係合するようになる。これにより、第３の端子台１４１が第２のシールドケース２１０の前面に取り外し自在に固着され、円筒孔１４１ｂ内に出力端子２２４が位置するようになる。
【００１４】
次に、図２１（ｂ）は従来の第４の直列ユニット４００がボックス１１９に取り付けられている構成例を示す斜視図であり、前面が開口された箱状のボックス１１９の前面には第３の化粧プレート１１８が取り付けられている。この第３の化粧プレート１１８の構成を示す正面図が図２２（ｃ）に示されており、この図に示すように第３の化粧プレート１１８は、縦長の矩形状のプレート本体１１８ａから構成され、中央部にやや横長の矩形状の嵌合孔１１８ｂが２つ形成されている。この嵌合孔１１８ｂの形状とほぼ同様の外形形状の第２の端子台１３１が嵌合孔１１８ｂからわずか突出している。第２の端子台１３１に設けられている円筒孔内には、出力端子２２４が位置している。
【００１５】
第２の端子台１３１の構成は前述した通りであり、従来の第４の直列ユニット４００は第２のシールドケース２１０の前面に第２の端子台１３１を取り外し自在に固着して構成されている。この従来の第４の直列ユニット４００を分解して示す斜視図を図２５（ｂ）に示す。第２のシールドケース２１０の構成は前述した通りである。この第２のシールドケース２１０の前面に第２の端子台１３１を配置して、出力端子２２４に第２の端子台１３１の円筒孔１３１ｂをそれぞれ位置合わせして、第２の端子台１３１を第２のシールドケース２１０の前面に押し込んでいく。これにより、第２の端子台１３１の両側面の中央部に形成されている係合片１３１ｄが、第２のシールドケース２１０の前面に形成されている係合部２２０ｃに当接し、さらに第２の端子台１３１を押し込むことにより係合片１３１ｄの先端の係合爪１３１ｇが係合部２２０ｃの係合孔に係合するようになる。これにより、第２の端子台１３１が第２のシールドケース２１０の前面に取り外し自在にそれぞれ固着され、円筒孔１３１ｂ内に出力端子２２４が位置するようになる。
【００１６】
以上説明した従来の第１の直列ユニット１００ないし第４の直列ユニット４００がボックス１１９に取り付けられるが、取り付ける場合は直列ユニット１００〜４００の挿通孔１１２ｂ，２１２ｂにそれぞれ取付ネジを挿通して、取付ネジをボックス１１９のボスに形成されているネジ孔に螺着することにより取り付ける。次いで、プレート枠１１６を直列ユニット１００〜４００の前面に取り付ける。取り付ける際には、プレート枠の上下に形成されている挿通孔にビスを挿通して、このビスを直列ユニット１００〜４００のネジ孔１１２ｈ、２１２ｈに螺着する。そして、プレート枠１１６に直列ユニット１００〜４００に適合する化粧プレート１１５〜１１８を取り外し自在に取り付ける。
【先行技術文献】
【特許文献】
【００１７】
【特許文献１】特開平１０−１８９１６１号公報
【特許文献２】特開２００５−３８７４５号公報
【発明の概要】
【発明が解決しようとする課題】
【００１８】
従来の直列ユニットにおいては、前述したように３種類の端子台と２種類のシールドケースとの組合せからなる４種類の直列ユニットのそれぞれに適合する３種類の化粧プレートを用いている。このため、改修工事において直列ユニットを交換する際には、既存の化粧プレートの構成が分からないことから、既存の化粧プレートに適合できる端子台を備える少なくとも２種類の直列ユニットを用意しなければならないという問題点があった。
【００１９】
そこで、本発明は、少なくとも２種類の化粧プレートに適合させることができる直列ユニットが備える端子台を提供することを目的としている。
【課題を解決するための手段】
【００２０】
本発明にかかる端子台は、シールドケースと、該シールドケースの前面に着脱自在に取り付けられる端子台とを備える直列ユニットの端子台であって、縦に長い矩形状の台本体には、前記シールドケースの前面から突出するよう設けられた出力端子の位置に対応して高さが高くされた凸部が形成され、該凸部には前記出力端子が挿通される円筒孔が形成されており、前記台本体には前記出力端子が設けられていない位置に対応して凹部が形成され、該凹部の両側においてほぼ対角線上に形成された一対の矩形溝とされた係合手段が設けられており、該係合手段により前記凹部に端子台ブランクが装着された際に、前記凹部の高さが前記凸部とほぼ同じ高さとなり、前記係合手段は前記凹部に前記端子台ブランクを取り外し自在に係合することができるようにされており、前記端子台ブランクは、両側部を形成する壁部においてほぼ対角線上の位置から後方へ突出するよう形成された一対の係止片を有し、前記凹部に装着された際に、前記一対の係止片が前記一対の矩形溝とされた前記係合手段に係合されることを最も主要な特徴としている。
【発明の効果】
【００２１】
本発明の端子台では、直列ユニットの前面に着脱自在に取り付けられる化粧プレートに縦長の矩形状の嵌合孔が形成されている場合は、端子台ブランクを凹部に装着することにより、当該化粧プレートの嵌合孔内に位置する端子台において凹部の高さが凸部の高さとほぼ同様となって、見映えを良好にすることができる。また、化粧プレートにシールドケースの出力端子の位置に対応するやや横長の矩形状の嵌合孔が形成されている場合は、端子台ブランクを凹部から取り外すことにより、当該化粧プレートを直列ユニットに取り付けることができるようになる。この場合、当該化粧プレートの嵌合孔内に端子台の凸部が位置するようになる。
これにより、２種類の化粧プレートに適合させることができる直列ユニットが備える端子台とすることができる。
【図面の簡単な説明】
【００２２】
【図１】本発明の第１実施例にかかる端子台を備える直列ユニットの構成を示す斜視図である。
【図２】本発明の第１実施例にかかる端子台を備える直列ユニットの構成を分解して示す斜視図である。
【図３】本発明の第１実施例にかかる端子台の構成を示す正面図、上面図、側面図である。
【図４】本発明の第１実施例にかかる端子台の構成を示す背面図、後方斜視図である。
【図５】本発明の第１実施例の端子台における第１の端子台ブランクの構成を示す正面図、上面図、側面図、背面図、後方斜視図である。
【図６】本発明の第１実施例にかかる端子台を備える直列ユニットをボックスに取り付けた構成を分解して示す斜視図である。
【図７】本発明の第１実施例にかかる端子台を備える直列ユニットをボックスに取り付けた構成を示す斜視図である。
【図８】本発明の第１実施例にかかる端子台を備える直列ユニットをボックスに取り付けた他の構成を分解して示す斜視図である。
【図９】本発明の第１実施例にかかる端子台を備える直列ユニットをボックスに取り付けた他の構成を示す斜視図である。
【図１０】本発明の第２実施例にかかる端子台を備える直列ユニットの構成を示す斜視図である。
【図１１】本発明の第２実施例にかかる端子台を備える直列ユニットの構成を分解して示す斜視図である。
【図１２】本発明の第２実施例にかかる端子台の構成を示す正面図、上面図、側面図である。
【図１３】本発明の第２実施例にかかる端子台の構成を示す背面図、後方斜視図である。
【図１４】本発明の第２実施例にかかる端子台を備える直列ユニットをボックスに取り付けた構成を分解して示す斜視図である。
【図１５】本発明の第２実施例にかかる端子台を備える直列ユニットをボックスに取り付けた構成を示す斜視図である。
【図１６】本発明の第２実施例にかかる端子台を備える直列ユニットをボックスに取り付けた他の構成を分解して示す斜視図である。
【図１７】本発明の第２実施例にかかる端子台を備える直列ユニットをボックスに取り付けた他の構成を示す斜視図である。
【図１８】本発明の第３実施例にかかる端子台の構成を示す前方斜視図、後方斜視図、第２の端子台ブランクの構成を示す前方斜視図、後方斜視図である。
【図１９】本発明の第４実施例にかかる端子台の構成を示す前方斜視図、後方斜視図、第３の端子台ブランクの構成を示す前方斜視図、後方斜視図である。
【図２０】従来の直列ユニットがボックスに取り付けられている構成の例を示す斜視図である。
【図２１】従来の直列ユニットがボックスに取り付けられている他の構成の例を示す斜視図である。
【図２２】従来の３種類の化粧プレートの構成を示す正面図である。
【図２３】従来の直列ユニットが備える３種類の端子台の構成を示す斜視図である。
【図２４】従来の直列ユニットの構成を分解して示す斜視図である。
【図２５】従来の直列ユニットの他の構成を分解して示す斜視図である。
【発明を実施するための形態】
【００２３】
本発明の第１実施例の端子台１１を備える直列ユニット１の構成を図１および図２に示す。図１は本発明の第１実施例の端子台１１を備える直列ユニット１の構成を示す斜視図であり、図２は本発明の第１実施例の端子台１１を備える直列ユニット１の構成を分解して示す斜視図である。
図２に示すように、直列ユニット１は出力端子の数が２個とされ、金属製の第１のシールドケース１０−１の前面に本発明の第１実施例の端子台１１が取り外し自在に固着され、第１のシールドケース１０−１の上部に第１取付枠耳部１２が取り外し自在に固着され、第１のシールドケース１０−１の下部に第２取付枠耳部１３が取り外し自在に固着されて構成されている。
【００２４】
まず、第１実施例の端子台１１の構成を図２ないし図４を参照しながら説明する。図３（ａ）（ｂ）（ｃ）は第１実施例の端子台１１の構成を示す正面図、上面図、側面図であり、図４（ａ）（ｂ）は第１実施例の端子台１１の構成を示す背面図、後方斜視図である。なお、第１実施例の端子台１１の構成示す前方斜視図が図２に示されている。
樹脂を成形することにより作成された第１実施例の端子台１１は、図２ないし図４に示すように、縦に長い矩形状の台本体１１ａを備え、台本体１１ａは上部凸部１１ｉと中央凹部１１ｈと下部凸部１１ｊとにほぼ３等分されて構成されている。上部凸部１１ｉと下部凸部１１ｊは高さが高くされ、それぞれ円筒孔１１ｂが形成されており、円筒孔１１ｂを形成するリング状部１１ｃが後方へ延伸されて形成されている。また、台本体１１ａの中央部は高さが低くされた中央凹部１１ｈとされている。上部凸部１１ｉと中央凹部１１ｈと下部凸部１１ｊとの外形形状はやや横長とされた矩形状のほぼ同じ形状とされている。台本体１１ａの４辺には壁部１１ｆが形成されており、上部凸部１１ｉと下部凸部１１ｊのほぼ中央位置における両側部を形成する壁部１１ｆには、係合片１１ｄが形成されている。それぞれの係合片１１ｄの先端部には段部と段部から先端に行くほど厚さが薄くなるテーパ状とされた係合爪１１ｇが形成されている。また、中央凹部１１ｈの両側であってほぼ対角線上に一対の矩形溝１１ｅが形成されている。
【００２５】
第１実施例の端子台１１においては、中央凹部１１ｈの高さを台本体１１ａの上部凸部１１ｉと下部凸部１１ｊとの高さに合わせることができる第１の端子台ブランク１４を中央凹部１１ｈに取り外し自在に装着することができる。この第１の端子台ブランク１４の構成を図５を参照しながら説明する。図５（ａ）（ｂ）（ｃ）（ｄ）（ｅ）は第１の端子台ブランク１４の構成を示す正面図、上面図、側面図、背面図、後方斜視図である。
樹脂を成形することにより作成された第１の端子台ブランク１４は、これらの図に示すように、やや横長とされた矩形状のブランク本体１４ａから構成されている。このブランク本体１４ａの４辺には壁部１４ｃが形成されており、両側部を形成する壁部１４ｃのほぼ対角線上の位置から一対の係止片１４ｂが後方へ突出するよう形成されている。それぞれの係止片１４ｂの先端部には段部と段部から先端に行くほど厚さが薄くなるテーパ状とされた係止爪が形成されている。なお、ブランク本体１４ａの大きさは第１実施例の端子台１１における中央凹部１１ｈの大きさより若干小さくされるがほぼ同じ大きさとされ、ブランク本体１４ａの高さは、第１実施例の端子台１１の中央凹部１１ｈの凹部の深さとほぼ等しくされている。
【００２６】
次に、直列ユニット１の組み立てについて図２を参照しながら説明する。第１のシールドケース１０−１の前面からは第１出力端子２２と第２出力端子２３とが前方へ突出して設けられており、後部には入力端子２１が設けられている。入力端子２１から入力された受信信号が分配されて第１出力端子２２および第２出力端子２３から出力される。また、第１のシールドケース１０−１の両側の上下にコ字状の係合部２０ｃがそれぞれ形成されている。この係合部２０ｃには、細長い矩形状の係合孔が形成されている。さらに、第１のシールドケース１０−１の上下には直列ユニット１を後述する壁面内に埋め込まれたボックスや壁面に取り付けるための取付部材である第１取付枠耳部１２および第２取付枠耳部１３がそれぞれ図示しない係合手段により取り外し自在に固着されており、この第１取付枠耳部１２および第２取付枠耳部１３には長孔とされた挿通孔１２ｂ，１３ｂとネジ孔１２ｈ，１３ｈとがそれぞれ形成されている。
【００２７】
まず、第１の端子台ブランク１４を第１実施例の端子台１１の前面に配置して、中央凹部１１ｈの位置に第１の端子台ブランク１４を位置合わせする。この第１の端子台ブランク１４を端子台１１に押しつけていくと、第１の端子台ブランク１４に形成されている一対の係止片１４ｂが中央凹部１１ｈに形成されている一対の矩形溝１１ｅにそれぞれ当接する。さらに、第１の端子台ブランク１４を端子台１１に押しつけると、第１の端子台ブランク１４の一対の係止片１４ｂが端子台１１の一対の矩形溝１１ｅに押し込まれて係合するようになる。これにより、中央凹部１１ｈにほぼ同じ大きさの第１の端子台ブランク１４が嵌合されて、図１に示すように第１実施例の端子台１１の前面の高さは一様となる。なお、係止片１４ｂと矩形溝１１ｅとの係合を解除することにより、第１の端子台ブランク１４を、第１実施例の端子台１１から取り外すことができる。すなわち、第１の端子台ブランク１４は第１実施例の端子台１１に対して着脱自在とされている。
【００２８】
この第１の端子台ブランク１４が装着された第１実施例の端子台１１を、第１のシールドケース１０−１の前面に配置して、第１出力端子２２と第２出力端子２３に第１実施例の端子台１１の上部凸部１１ｉと下部凸部１１ｊに形成された円筒孔１１ｂを位置合わせして、第１実施例の端子台１１を第１のシールドケース１０−１の前面に押し込んでいく。これにより、第１実施例の端子台１１の両側面の上下にそれぞれ形成されている係合片１１ｄが、第１のシールドケース１０−１の前面に形成されている係合部２０ｃに当接し、さらに第１実施例の端子台１１を押し込むことにより係合片１１ｄが押し込まれて、その先端の係合爪１１ｇが係合部２０ｃの係合孔に係合するようになる。これにより、図１に示すように第１実施例の端子台１１が第１のシールドケース１０−１の前面に固着され、２つの円筒孔１１ｂ内に第１出力端子２２と第２出力端子２３とが位置するようになる。なお、係合爪１１ｇと係合部２０ｃの係合孔との係合を解除することにより、第１実施例の端子台１１を第１のシールドケース１０−１から取り外すことができる。
【００２９】
このように、第１の端子台ブランク１４が装着された第１実施例の端子台１１が第１のシールドケース１０−１の前面に固着されることにより、第１実施例の端子台１１を備える直列ユニット１が組み立てられる。この第１実施例の端子台１１を備える直列ユニット１は、屋内の壁面に埋め込まれた箱状のボックスに取り付けて使用することができる。ボックスに取り付けられた直列ユニット１においては、第１出力端子２２あるいは第２出力端子２３に屋内のテレビ受信機等に一端が接続された同軸ケーブルの他端を接続し、入力端子２１には壁の内部空間に配置されたアンテナ等の受信信号を導く同軸ケーブルが接続される。また、直列ユニット１の前面側には化粧パネルが取り付けられる。
第１実施例の端子台１１を備える直列ユニット１をボックス１９に取り付ける場合に、第１の化粧プレート１５を用いる構成を図６および図７に示す。図６および図７は、第１実施例の端子台１１を備える直列ユニット１の構成を分解して示す斜視図および斜視図である。
【００３０】
第１実施例の端子台１１を備える直列ユニット１をボックス１９に取り付ける構成を図６を参照して説明する。図６に示すボックス１９は、前面が開口された箱状のボックス本体１９ａから構成され、図示されていないが屋内の壁面内に埋め込まれて設けられている。ボックス１９の上面および下面には複数のケーブル挿通孔１９ｃが形成されており、ボックス１９の上面および下面の内側のほぼ中央にはネジ孔を備えるボス１９ｂが形成されている。直列ユニット１は上記した図１および図２に示す構成とされており、第１取付枠耳部１２および第２取付枠耳部１３の挿通孔１２ｂ，１３ｂにそれぞれ取付ネジ１８を挿通した直列ユニット１をボックス１９の前面に配置して、２本の取付ネジ１８をボックス１９の２つのボス１９ｂにそれぞれ螺着する。これにより、直列ユニット１がボックス１９の前面に取り付けられ、直列ユニット１の大部分がボックス１９内に収納される。なお、壁の内部空間に配置されたアンテナ等の受信信号を導く同軸ケーブルは、ボックス１９のケーブル挿通孔１９ｃからボックス１９内に導入されて直列ユニット１の入力端子２１に接続される。
【００３１】
次に、プレート枠１６が直列ユニット１の前面に取り付けられる。プレート枠１６は矩形状の縦長の外形とされ、図示していないがプレート枠１６には大きな開口が形成されて４辺の枠のみで形成されている。プレート枠１６における左右の枠には複数の係合穴が形成されている。また、プレート枠１６の上下の枠のほぼ中央には挿通穴が形成され、この挿通穴のそれぞれにビスが挿通されている。この２本のビスのそれぞれを、第１取付枠耳部１２および第２取付枠耳部１３の前面側からネジ孔１２ｈ，１３ｈに螺着する。これにより、プレート枠１６が直列ユニット１の前面に取り付けられる。次いで、第１の化粧プレート１５をプレート枠１６に取り付ける。第１の化粧プレート１５は、プレート枠１６と同じ大きさの矩形状とされ、縦長の矩形状の嵌合孔１５ｂがほぼ中央に形成されたプレート本体１５ａからなる。この嵌合孔１５ｂは第１の端子台ブランク１４を装着した第１実施例の端子台１１の外形形状とほぼ同じ大きさとされている。また、図示していないがプレート本体１５ａの裏面からはプレート枠１６の複数の係合穴に対応する位置に複数の係合片がそれぞれ突出して形成されている。第１の化粧プレート１５をプレート枠１６の前面に配置して第１の化粧プレート１５の係合片のそれぞれをプレート枠１６の係合穴に位置合わせして、第１の化粧プレート１５をプレート枠１６に押しつけると第１の化粧プレート１５の複数の係合片が、プレート枠１６の複数の係合穴に押し込まれてそれぞれ係合される。これにより、第１の化粧プレート１５がプレート枠１６に固着され、嵌合孔１５ｂから第１実施例の端子台１１がわずか突出するようになる。
【００３２】
このようにして、ボックス１９に第１実施例の端子台１１を備える直列ユニット１が収納されるよう取り付けられ、その前面が第１の化粧プレート１５により閉塞される。この構成が図７に示されており、第１の化粧プレート１５の前面から第１実施例の端子台１１の上部凸部１１ｉおよび下部凸部１１ｊの前面がわずか突出すると共に、中央凹部１１ｈに装着された第１の端子台ブランク１４の前面が第１の化粧プレート１５の前面からわずか突出するようになり、見映えを良好とすることができる。また、第１の化粧プレート１５を取り付けることにより第１実施例の端子台１１を備える直列ユニット１に塵埃や水分などが侵入することを防止することができる。
【００３３】
次に、第１実施例の端子台１１を備える直列ユニット１をボックス１９に取り付ける場合に、第２の化粧プレート１７を用いる他の構成を図８および図９に示す。図８および図９は、第１実施例の端子台１１を備える直列ユニット１をボックス１９に取り付ける他の構成を分解して示す斜視図および斜視図である。
第１実施例の端子台１１を備える直列ユニット１をボックス１９に取り付ける他の構成を図８を参照して説明する。他の構成において用いられる第２の化粧プレート１７は、プレート枠１６と同じ大きさの矩形状とされた縦長のプレート本体１７ａを備え、このプレート本体１７ａには上部と下部とにやや横長の矩形状の嵌合孔１７ｂがそれぞれ形成されている。プレート本体１７ａに形成された２つの嵌合孔１７ｂの大きさは、第１実施例の端子台１１における上部凸部１１ｉと下部凸部１１ｊとの大きさより若干大きいが、ほぼ同じ大きさとされている。第２の化粧プレート１７を用いる場合は、図１に示す第１実施例の端子台１１を備える直列ユニット１の中央凹部１１ｈから第１の端子台ブランク１４を取り外して、第２の化粧プレート１７に適合できる図８に示す状態とする。この第１の端子台ブランク１４を取り外した第１実施例の端子台１１を備える直列ユニット１のボックス１９のボス１９ｂへの取り付け、当該直列ユニット１へのプレート枠１６の取り付けは上記したとおりであるので、その説明は省略する。
【００３４】
そして、ボックス１９に取り付けられた第１の端子台ブランク１４を取り外した第１実施例の端子台１１を備える直列ユニット１の前面にプレート枠１６が取り付けられると、このプレート枠１６の前面に第２の化粧プレート１７を配置して、第２の化粧プレート１７の係合片のそれぞれをプレート枠１６の係合穴に位置合わせする。次いで、第２の化粧プレート１７をプレート枠１６に押しつけると第２の化粧プレート１７の複数の係合片が、プレート枠１６の複数の係合穴に押し込まれて係合される。これにより、第２の化粧プレート１７がプレート枠１６に固着され、２つの嵌合孔１７ｂから第１実施例の端子台１１の上部凸部１１ｉと下部凸部１１ｊとの前面がわずか突出するようになる。
【００３５】
このようにして、ボックス１９に第１実施例の端子台１１を備える直列ユニット１が収納されるよう取り付けられ、その前面が第２の化粧プレート１７により閉塞される。この構成が図９に示されており、第１の端子台ブランク１４を取り外した第１実施例の端子台１１の上部凸部１１ｉおよび下部凸部１１ｊが第２の化粧プレート１７の２つの嵌合孔１７ｂからわずか突出するようになり、見映えを良好とすることができる。また、第２の化粧プレート１７を取り付けることにより、第１の端子台ブランク１４を取り外した第１実施例の端子台１１を備える直列ユニット１に塵埃や水分などが侵入することを防止することができる。このように、第１実施例の端子台１１は、第１の端子台ブランク１４を着脱することにより、第１の化粧プレート１５および第２の化粧プレート１７に適合させることができる。
【００３６】
次に、本発明の第２実施例の端子台３１を備える直列ユニット２の構成を図１０および図１１に示す。図１０は本発明の第２実施例の端子台３１を備える直列ユニット２の構成を示す斜視図であり、図１１は本発明の第２実施例の端子台３１を備える直列ユニット２の構成を分解して示す斜視図である。
図２に示すように、直列ユニット２は出力端子の数が１個とされ、金属製の第２のシールドケース１０−２の前面に本発明の第２実施例の端子台３１が取り外し自在に固着され、第２のシールドケース１０−２の上部に第１取付枠耳部１２が取り外し自在に固着され、第２のシールドケース１０−２の下部に第２取付枠耳部１３が取り外し自在に固着されて構成されている。
【００３７】
まず、第２実施例の端子台３１の構成を図１１ないし図１３を参照しながら説明する。図１２（ａ）（ｂ）（ｃ）は第２実施例の端子台３１の構成を示す正面図、上面図、側面図であり、図１３（ａ）（ｂ）は第２実施例の端子台３１の構成を示す背面図、後方斜視図である。なお、第２実施例の端子台３１の構成を示す前方斜視図が図１１に示されている。
樹脂を成形することにより作成された第２実施例の端子台３１は、図１１ないし図１３に示すように、縦に長い矩形状の台本体３１ａを備え、台本体３１ａは上部凹部３１ｉと中央凸部３１ｈと下部凹部３１ｊとにほぼ３等分されて構成されている。中央凸部３１ｈは高さが高くされて円筒孔３１ｂが形成されており、円筒孔３１ｂを形成するリング状部３１ｃが後方へ延伸されて形成されている。また、台本体３１ａの上部と下部は高さが低くされた上部凹部３１ｉと下部凹部３１ｊとされている。上部凹部３１ｉと中央凸部３１ｈと下部凹部３１ｊとの外形形状はやや横長とされた矩形状のほぼ同じ形状とされている。台本体３１ａの両側部には壁部３１ｆが形成されており、上部凹部３１ｉと下部凹部３１ｊとの両側のほぼ中央位置の壁部３１ｆには係合片３１ｄがそれぞれ形成されている。それぞれの係合片３１ｄの先端部には段部と段部から先端に行くほど厚さが薄くなるテーパ状とされた係合爪３１ｇが形成されている。また、上部凹部３１ｉと下部凹部３１ｊの両側であってほぼ対角線上に一対の矩形溝３１ｅが形成されている。
【００３８】
第２実施例の端子台３１においては、上部凹部３１ｉと下部凹部３１ｊとの高さを中央凸部３１ｈの高さに合わせて、台本体３１ａの高さを一様にすることができる前述した第１の端子台ブランク１４を上部凹部３１ｉと下部凹部３１ｊとにそれぞれ取り外し自在に装着することができる。この第１の端子台ブランク１４の構成は前述した通りであるので、その説明は省略するが、ブランク本体１４ａの大きさは第２実施例の端子台３１の上部凹部３１ｉと下部凹部３１ｊとの大きさより若干小さくされるがほぼ同じ大きさとされ、ブランク本体１４ａの高さは、第２実施例の端子台３１の上部凹部３１ｉと下部凹部３１ｊとの深さとほぼ等しくされている。
【００３９】
次に、直列ユニット２の組み立てについて図１１を参照しながら説明する。第２のシールドケース１０−２の前面のほぼ中央からは１個の出力端子２４が前方へ突出して設けられており、後部には入力端子２１が設けられている。入力端子２１から入力された受信信号が出力端子２４から出力される。また、第２のシールドケース１０−２の両側の上下にコ字状の係合部２０ｃがそれぞれ形成されている。この係合部２０ｃには、細長い矩形状の係合孔が形成されている。さらに、第２のシールドケース１０−２の上下には直列ユニット２を後述する壁面内に埋め込まれたボックスや壁面に取り付けるための取付部材である第１取付枠耳部１２および第２取付枠耳部１３がそれぞれ図示しない係合手段により取り外し自在に固着されており、この第１取付枠耳部１２および第２取付枠耳部１３には長孔とされた挿通孔１２ｂ，１３ｂとネジ孔１２ｈ，１３ｈとがそれぞれ形成されている。
【００４０】
まず、第１の端子台ブランク１４を第２実施例の端子台３１の前面に配置して、上部凹部３１ｉと下部凹部３１ｊとの位置に２つの第１の端子台ブランク１４をそれぞれ位置合わせする。この第１の端子台ブランク１４を端子台３１に押しつけていくと、それぞれの第１の端子台ブランク１４に形成されている一対の係止片１４ｂが上部凹部３１ｉと下部凹部３１ｊとに形成されている一対の矩形溝３１ｅにそれぞれ当接する。さらに、第１の端子台ブランク１４を端子台３１に押しつけると、第１の端子台ブランク１４の一対の係止片１４ｂが上部凹部３１ｉと下部凹部３１ｊとの一対の矩形溝３１ｅに押し込まれてそれぞれ係合するようになる。これにより、上部凹部３１ｉと下部凹部３１ｊとにほぼ同じ大きさの第１の端子台ブランク１４がそれぞれ嵌合されて、図１０に示すように第２実施例の端子台３１の前面の高さは一様となる。なお、係止片１４ｂと矩形溝３１ｅとの係合を解除することにより、第１の端子台ブランク１４を、第２実施例の端子台３１から取り外すことができる。すなわち、第１の端子台ブランク１４のそれぞれは、第２実施例の端子台３１に対して着脱自在とされている。
【００４１】
この第１の端子台ブランク１４が装着された第２実施例の端子台３１を、第２のシールドケース１０−２の前面に配置して、出力端子２４に第２実施例の端子台３１の中央凸部３１ｈに形成された円筒孔３１ｂを位置合わせして、第２実施例の端子台３１を第２のシールドケース１０−２の前面に押し込んでいく。これにより、第２実施例の端子台３１の両側面の上下にそれぞれ形成されている係合片３１ｄが、第２のシールドケース１０−２の前面に形成されている係合部２０ｃに当接し、さらに第２実施例の端子台３１を押し込むことにより係合片３１ｄが押し込まれて、その先端の係合爪３１ｇが係合部２０ｃの係合孔に係合するようになる。これにより、図１０に示すように第２実施例の端子台３１が第２のシールドケース１０−２の前面に固着され、円筒孔３１ｂ内に出力端子２４が位置するようになる。なお、係合爪３１ｇと係合部２０ｃの係合孔との係合を解除することにより、第２実施例の端子台３１を第２のシールドケース１０−２から取り外すことができる。
【００４２】
このように、２つの第１の端子台ブランク１４が装着された第２実施例の端子台３１が第２のシールドケース１０−２の前面に固着されることにより、図１０に示す第２実施例の端子台３１を備える直列ユニット２が組み立てられる。この第２実施例の端子台３１を備える直列ユニット２は、屋内の壁面に埋め込まれた箱状のボックスに取り付けて使用することができる。ボックスに取り付けられた直列ユニット２においては、出力端子２４に屋内のテレビ受信機等に一端が接続された同軸ケーブルの他端を接続し、入力端子２１には壁の内部空間に配置されたアンテナ等の受信信号を導く同軸ケーブルが接続される。また、直列ユニット２の前面側には化粧パネルが取り付けられる。
第２実施例の端子台３１を備える直列ユニット２をボックス１９に取り付ける場合に、第１の化粧プレート１５を用いる構成を図１４および図１５に示す。図１４および図１５は、第２実施例の端子台３１を備える直列ユニット２をボックス１９に取り付ける構成を分解して示す斜視図および斜視図である。
【００４３】
第２実施例の端子台３１を備える直列ユニット２をボックス１９に取り付ける構成を図１４を参照して説明する。図１４に示すボックス１９は、前面が開口された箱状のボックス本体１９ａから構成され、図示されていないが屋内の壁面内に埋め込まれて設けられている。ボックス１９の上面および下面には複数のケーブル挿通孔１９ｃが形成されており、ボックス１９の上面および下面の内側のほぼ中央にはネジ孔を備えるボス１９ｂが形成されている。直列ユニット２は上記した図１０よび図１１に示す構成とされており、第１取付枠耳部１２および第２取付枠耳部１３の挿通孔１２ｂ，１３ｂにそれぞれ取付ネジ１８を挿通した直列ユニット２をボックス１９の前面に配置して、２本の取付ネジ１８をボックス１９の２つのボス１９ｂにそれぞれ螺着する。これにより、直列ユニット２がボックス１９の前面に取り付けられ、直列ユニット２の大部分がボックス１９内に収納される。なお、壁の内部空間に配置されたアンテナ等の受信信号を導く同軸ケーブルは、ボックス１９のケーブル挿通孔１９ｃからボックス１９内に導入されて直列ユニット２の入力端子２１に接続される。
【００４４】
次に、プレート枠１６が直列ユニット２の前面に取り付けられる。プレート枠１６の直列ユニット２への取り付けは、プレート枠１６の直列ユニット１への取り付けと同様とされるので、その説明は省略する。プレート枠１６が直列ユニット２の前面に取り付けられると、第１の化粧プレート１５をプレート枠１６に取り付ける。第１の化粧プレート１５のプレート枠１６への取り付けは前述した通りであるので、その説明は省略する。第１の化粧プレート１５がプレート枠１６に固着されると、嵌合孔１５ｂから第２実施例の端子台３１がわずか突出するようになる。
【００４５】
このようにして、ボックス１９に第２実施例の端子台３１を備える直列ユニット２が収納されるよう取り付けられ、その前面が第１の化粧プレート１５により閉塞される。この構成が図１５に示されており、第１の化粧プレート１５の前面から第２実施例の端子台３１の中央凸部３１ｈの前面がわずか突出すると共に、上部凹部３１ｉおよび下部凹部３１ｊに装着された２つの第１の端子台ブランク１４のそれぞれの前面が第１の化粧プレート１５の前面からわずか突出するようになり、見映えを良好とすることができる。また、第１の化粧プレート１５を取り付けることにより第２実施例の端子台３１を備える直列ユニット２に塵埃や水分などが侵入することを防止することができる。
【００４６】
次に、第２実施例の端子台３１を備える直列ユニット２をボックス１９に取り付ける場合に、第３の化粧プレート１８を用いる他の構成を図１６および図１７に示す。図１６および図１７は、第２実施例の端子台３１を備える直列ユニット２をボックス１９に取り付ける他の構成を分解して示す斜視図および斜視図である。
第２実施例の端子台３１を備える直列ユニット２をボックス１９に取り付ける他の構成を図１６を参照して説明する。他の構成において用いられる第３の化粧プレート１８は、プレート枠１６と同じ大きさの矩形状とされた縦長のプレート本体１８ａを備え、このプレート本体１８ａのほぼ中央部にやや横長の矩形状の嵌合孔１８ｂが１つ形成されている。プレート本体１８ａに形成された嵌合孔１８ｂの大きさは、第２実施例の端子台３１の中央凸部３１ｈの大きさより若干大きいが、ほぼ同じ大きさとされている。第３の化粧プレート１８を用いる場合は、図１０に示す第２実施例の端子台３１を備える直列ユニット２の上部凹部３１ｉと下部凹部３１ｊとから２つの第１の端子台ブランク１４を取り外して、第３の化粧プレート１８に適合できる図１６に示す状態とする。この２つの第１の端子台ブランク１４を取り外した第２実施例の端子台３１を備える直列ユニット２のボックス１９のボス１９ｂへの取り付け、当該直列ユニット２へのプレート枠１６の取り付けは上記したとおりであるので、その説明は省略する。
【００４７】
そして、ボックス１９に取り付けられた２つの第１の端子台ブランク１４を取り外した第２実施例の端子台３１を備える直列ユニット２の前面にプレート枠１６が取り付けられると、このプレート枠１６の前面に第３の化粧プレート１８を配置して、第３の化粧プレート１８の係合片のそれぞれをプレート枠１６の係合穴に位置合わせする。次いで、第３の化粧プレート１８をプレート枠１６に押しつけると第３の化粧プレート１８の複数の係合片が、プレート枠１６の複数の係合穴に押し込まれて係合される。これにより、第３の化粧プレート１８がプレート枠１６に固着され、中央部の嵌合孔１８ｂから第２実施例の端子台３１の中央凸部３１ｈの前面がわずか突出するようになる。
【００４８】
このようにして、ボックス１９に第２実施例の端子台３１を備える直列ユニット２が収納されるよう取り付けられ、その前面が第３の化粧プレート１８により閉塞される。この構成が図１７に示されており、２つの第１の端子台ブランク１４を取り外した第２実施例の端子台３１の中央凸部３１ｈが第３の化粧プレート１８の嵌合孔１８ｂからわずか突出するようになり、見映えを良好とすることができる。また、第２３化粧プレート１８を取り付けることにより、２つの第１の端子台ブランク１４を取り外した第２実施例の端子台３１を備える直列ユニット２に塵埃や水分などが侵入することを防止することができる。このように、第２実施例の端子台３１は、２つの第１の端子台ブランク１４を着脱することにより、第１の化粧プレート１５および第３の化粧プレート１８に適合させることができる。
以上説明した直列ユニット１は出力端子数が２個の直列ユニットとされ、直列ユニット２は出力端子数が１個の直列ユニットとされる。そして、出力端子数が２個の直列ユニット１においては、第１実施例の端子台１１と第１の端子台ブランク１４とを組み合わせることにより、２種類の化粧プレート１５，１７に適合させることができ、出力端子数が１個の直列ユニット２においては、第２実施例の端子台３１と２つの第１の端子台ブランク１４とを組み合わせることにより、２種類の化粧プレート１５，１８に適合させることができるようになる。このように、本発明にかかる端子台１１，３１においてはそれぞれ２種類の化粧プレートに適合させることができることから、改修工事において直列ユニットを交換する際に用意する直列ユニットの種類を低減することができる。
【００４９】
次に、第３実施例の端子台４１の構成、および、第３実施例の端子台４１に組み合わせる第２の端子台ブランク４４の構成を図１８に示す。図１８（ａ）（ｂ）は第３実施例の端子台４１の構成を示す前方斜視図、後方斜視図であり、図１８（ｃ）（ｄ）は第２の端子台ブランク４４の構成を示す前方斜視図、後方斜視図である。
図１８（ａ）（ｂ）に示すように、第３実施例の端子台４１は第１実施例の端子台１１において矩形溝の形成位置を異ならせただけの構成とされており、出力端子数が２個の直列ユニット１に使用する端子台とされている。すなわち、第３実施例の端子台４１は、縦に長い矩形状の台本体４１ａを備え、台本体４１ａは上部凸部４１ｉと中央凹部４１ｈと下部凸部４１ｊとにほぼ３等分して構成されている。上部凸部４１ｉと下部凸部４１ｊは高さが高くされ、それぞれ円筒孔４１ｂが形成されており、円筒孔４１ｂを形成するリング状部４１ｃが後方へ延伸されて形成されている。また、台本体４１ａの中央部は高さが低くされた中央凹部４１ｈとされている。上部凸部４１ｉと中央凹部４１ｈと下部凸部４１ｊとの外形形状はやや横長とされた矩形状のほぼ同じ形状とされている。台本体４１ａの４辺には壁部４１ｆが形成されており、上部凸部４１ｉと下部凸部４１ｊのほぼ中央位置であって、両側部を形成する壁部４１ｆには係合片４１ｄが形成されている。それぞれの係合片４１ｄの先端部には段部と段部から先端に行くほど厚さが薄くなるテーパ状とされた係合爪４１ｇが形成されている。また、中央凹部４１ｈの両側部のほぼ中央に一対の矩形溝４１ｅが形成されている。
【００５０】
第３実施例の端子台４１の中央凹部４１ｈに取り外し自在に装着することで、高さを上部凸部４１ｉと下部凸部４１ｊとの高さに合わせることができる第２の端子台ブランク４４の構成を図１８（ｃ）（ｄ）を参照しながら説明する。第２の端子台ブランク４４は、やや横長とされた矩形状のブランク本体４４ａから構成されている。このブランク本体４４ａの４辺には壁部４４ｃが形成されており、壁部４４ｃの両側部のほぼ中央から一対の係止片４４ｂが後方へ突出するように形成されている。それぞれの係止片４４ｂの先端部には段部と段部から先端に行くほど厚さが薄くなるテーパ状とされた係止爪が形成されている。なお、ブランク本体４４ａの大きさは第３実施例の端子台４１の中央凹部４１ｈの大きさより若干小さくされるがほぼ同じ大きさとされ、ブランク本体４４ａの高さは、第３実施例の端子台４１の中央凹部４１ｈの深さとほぼ等しくされている。
【００５１】
第２の端子台ブランク４４を第３実施例の端子台４１に装着する際には、第２の端子台ブランク４４を第３実施例の端子台４１の前面に配置して、中央凹部４１ｈの位置に第２の端子台ブランク４４を位置合わせする。この第２の端子台ブランク４４を端子台４１に押しつけていくと、第２の端子台ブランク４４に形成されている一対の係止片４４ｂが中央凹部４１ｈに形成されている一対の矩形溝４１ｅにそれぞれ当接する。さらに、第２の端子台ブランク４４を端子台４１に押しつけると、一対の係止片４４ｂが一対の矩形溝４１ｅに押し込まれて係合するようになる。これにより、中央凹部４１ｈにほぼ同じ大きさの第２の端子台ブランク４４が嵌合されて、第３実施例の端子台４１の前面の高さは一様となる。なお、第２の端子台ブランク４４は、一対の係止片４４ｂと一対の矩形溝４１ｅとの係合を解除することにより、第３実施例の端子台４１から取り外すことができる。すなわち、第２の端子台ブランク４４は第３実施例の端子台４１に対して着脱自在とされている。
【００５２】
次に、第４実施例の端子台５１の構成、および、第４実施例の端子台５１に組み合わせる第３の端子台ブランク５４の構成を図１９に示す。図１９（ａ）（ｂ）は第４実施例の端子台５１の構成を示す前方斜視図、後方斜視図であり、図１９（ｃ）（ｄ）は第３の端子台ブランク５４の構成を示す前方斜視図、後方斜視図である。
図１９（ａ）（ｂ）に示すように、第４実施例の端子台５１は第１実施例の端子台１１において矩形溝の個数を４個とした構成とされており、出力端子数が２個の直列ユニット１に使用する端子台とされている。すなわち、第４実施例の端子台５１は、縦に長い矩形状の台本体５１ａを備え、台本体５１ａは上部凸部５１ｉと中央凹部５１ｈと下部凸部５１ｊとにほぼ３等分して構成されている。上部凸部５１ｉと下部凸部５１ｊは高さが高くされ、それぞれ円筒孔５１ｂが形成されており、円筒孔５１ｂを形成するリング状部５１ｃが後方へ延伸されて形成されている。また、台本体５１ａの中央部は高さが低くされた中央凹部５１ｈとされている。上部凸部５１ｉと中央凹部５１ｈと下部凸部５１ｊとの外形形状はやや横長とされた矩形状のほぼ同じ形状とされている。台本体５１ａの４辺には壁部５１ｆが形成されており、上部凸部５１ｉと下部凸部５１ｊのほぼ中央位置であって、両側部を形成する壁部５１ｆには係合片５１ｄが形成されている。それぞれの係合片５１ｄの先端部には段部と段部から先端に行くほど厚さが薄くなるテーパ状とされた係合爪５１ｇが形成されている。また、中央凹部５１ｈのほぼ４隅にそれぞれ矩形溝５１ｅが計４つ形成されている。
【００５３】
第４実施例の端子台５１の中央凹部５１ｈに取り外し自在に装着することで、高さを上部凸部５１ｉと下部凸部５１ｊとの高さに合わせることができる第３の端子台ブランク５４の構成を図１９（ｃ）（ｄ）を参照しながら説明する。第３の端子台ブランク５４は、やや横長とされた矩形状のブランク本体５４ａから構成されている。このブランク本体５４ａの４辺には壁部５４ｃが形成されており、壁部５４ｃのほぼ４隅からは後方へ突出するように係止片５４ｂが４つ形成されている。それぞれの係止片５４ｂの先端部には段部と段部から先端に行くほど厚さが薄くなるテーパ状とされた係止爪が形成されている。なお、ブランク本体５４ａの大きさは第４実施例の端子台５１の中央凹部５１ｈの大きさより若干小さくされるがほぼ同じ大きさとされ、ブランク本体５４ａの高さは、第４実施例の端子台５１の中央凹部５１ｈの深さとほぼ等しくされている。
【００５４】
第３の端子台ブランク５４を第４実施例の端子台５１に装着する際には、第３の端子台ブランク５４を第４実施例の端子台５１の前面に配置して、中央凹部５１ｈの位置に第３の端子台ブランク５４を位置合わせする。この第３の端子台ブランク５４を端子台５１に押しつけていくと、第３の端子台ブランク５４に形成されている４つの係止片５４ｂが中央凹部５１ｈに形成されている４つの矩形溝５１ｅにそれぞれ当接する。さらに、第３の端子台ブランク５４を端子台５１に押しつけると、４つの係止片５４ｂが４つの矩形溝５１ｅに押し込まれて係合するようになる。これにより、中央凹部５１ｈにほぼ同じ大きさの第３の端子台ブランク５４が嵌合されて、第４実施例の端子台５１の前面の高さは一様となる。なお、第３の端子台ブランク５４は、４つの係止片５４ｂと４つの矩形溝５１ｅとの係合を解除することにより、第４実施例の端子台５１から取り外すことができる。すなわち、第３の端子台ブランク５４は第４実施例の端子台５１に対して着脱自在とされている。
【００５５】
また、出力端子数が１個の直列ユニット２に使用する第２実施例の端子台３１において、上部凹部３１ｉと下部凹部３１ｊに形成した矩形溝３１ｅに替えて、第３実施例の端子台４１のように両凹部３１ｉ，３１ｊの両側部のほぼ中央に一対の矩形溝を形成したり、第４実施例の端子台５１のように両凹部３１ｉ，３１ｊの４隅にそれぞれ矩形溝を計４つ形成するようにしてもよい。この場合は、第１の端子台ブランク１４に替えて第２の端子台ブランク４４あるいは第３の端子台ブランク５４を組み合わせるようにすればよい。
【産業上の利用可能性】
【００５６】
以上説明した本発明にかかる端子台は、シールドケースから取り外すことができる構成とされており、この取り外し可能な係合手段は上記説明した係合手段に限ることはなく、他の着脱可能な係合手段を採用することができる。また、本発明にかかる端子台における端子台ブランクを装着することができる凹部の面には、切り抜きを設けるようにしてもよい。このように、切り抜きを設けると、例えば図２に示すシールドケースのように、前面に設けられている切換スイッチを、シールドケースに端子台を取り付けた状態で切換操作することができるようになる。なお、切換スイッチは、双方向ケーブルテレビ（ＣＡＴＶ）の信号伝送システムにおける双方向伝送と片方向伝送とのいずれかを選択する切換スイッチであり、具体的には、出力端子の伝送信号における上り信号帯域をカットする片方向伝送と、上り信号帯域を通過させる双方向伝送とのいずれかに切り換えるための切換スイッチである。
また、以上説明した本発明にかかる端子台に装着することができる第１ないし第３の端子台ブランクのそれぞれは、出力端子数が２個用の本発明にかかる端子台と出力端子数が１個用の本発明にかかる端子台に共通に用いることができる。
【符号の説明】
【００５７】
１  直列ユニット、２  直列ユニット、１０−１  第１のシールドケース、１１  端子台、１１ａ  台本体、１１ｂ  円筒孔、１１ｃ  リング状部、１１ｄ  係合片、１１ｅ  矩形溝、１１ｆ  壁部、１１ｇ  係合爪、１１ｈ  中央凹部、１１ｉ  上部凸部、１１ｊ  下部凸部、１２  取付枠耳部、１２ｂ  挿通孔、１２ｈ  ネジ孔、１３  取付枠耳部、１３ｂ  挿通孔、１３ｈ  ネジ孔、１４  第１の端子台ブランク、１４ａ  ブランク本体、１４ｂ  係止片、１４ｃ  壁部、１５  第１の化粧プレート、１５ａ  プレート本体、１５ｂ  嵌合孔、１６  プレート枠、１７  第２の化粧プレート、１７ａ  プレート本体、１７ｂ  嵌合孔、１８  第３の化粧プレート、１８  取付ネジ、１８ａ  プレート本体、１８ｂ  嵌合孔、１９  ボックス、１９ａ  ボックス本体、１９ｂ  ボス、１９ｃ  ケーブル挿通孔、２０ｃ  係合部、２１  入力端子、２２  第１出力端子、２３  第２出力端子、２４  出力端子、３１  端子台、３１ａ  台本体、３１ｂ  円筒孔、３１ｃ  リング状部、３１ｄ  係合片、３１ｅ  矩形溝、３１ｆ  壁部、３１ｇ  係合爪、３１ｈ  中央凸部、３１ｉ  上部凹部、３１ｊ  下部凹部、４１  端子台、４１ａ  台本体、４１ｂ  円筒孔、４１ｃ  リング状部、４１ｄ  係合片、４１ｅ  矩形溝、４１ｆ  壁部、４１ｇ  係合爪、４１ｈ  中央凹部、４１ｉ  上部凸部、４１ｊ  下部凸部、４４  第２の端子台ブランク、４４ａ  ブランク本体、４４ｂ  係止片、４４ｃ  壁部、５１  端子台、５１ａ  台本体、５１ｂ  円筒孔、５１ｃ  リング状部、５１ｄ  係合片、５１ｅ  矩形溝、５１ｆ  壁部、５１ｇ  係合爪、５１ｈ  中央凹部、５１ｉ  上部凸部、５１ｊ  下部凸部、５４  第３の端子台ブランク、５４ａ  ブランク本体、５４ｂ  係止片、５４ｃ  壁部、１００〜４００  直列ユニット、１１０  第１のシールドケース、１１１  第１の端子台、１１１ａ  台本体、１１１ｂ  円筒孔、１１１ｃ  リング状部、１１１ｄ  係合片、１１１ｆ  壁部、１１１ｇ  係合爪、１１２ｂ  挿通孔、１１２ｈ  ネジ孔、１１５ａ  プレート本体、１１５ｂ  嵌合孔、１１５  第１の化粧プレート、１１６  プレート枠、１１７  第２の化粧プレート、１１７ａ  プレート本体、１１７ｂ  嵌合孔、１１８  第３の化粧プレート、１１８ａ  プレート本体、１１８ｂ  嵌合孔、１１９  ボックス、１２０ｃ  係合部、１２１  入力端子、１２２  第１出力端子、１２３  第２出力端子、１２４  出力端子、１３１  第２の端子台、１３１ａ  台本体、１３１ｂ  円筒孔、１３１ｃ  リング状部、１３１ｄ  係合片、１３１ｆ  壁部、１３１ｇ  係合爪、１４１  第３の端子台、１４１ａ  台本体、１４１ｂ  円筒孔、１４１ｃ  リング状部、１４１ｄ  係合片、１４１ｆ  壁部、１４１ｇ  係合爪、２１０  第２のシールドケース、２１２ｂ  挿通孔、２１２ｈ  ネジ孔、２２０ｃ  係合部、２２１  入力端子、２２４  出力端子
【図１】
2018046028.tif 000003
【図２】
2018046028.tif 000004
【図３】
2018046028.tif 000005
【図４】
2018046028.tif 000006
【図５】
2018046028.tif 000007
【図６】
2018046028.tif 000008
【図７】
2018046028.tif 000009
【図８】
2018046028.tif 000010
【図９】
2018046028.tif 000011
【図１０】
2018046028.tif 000012
【図１１】
2018046028.tif 000013
【図１２】
2018046028.tif 000014
【図１３】
2018046028.tif 000015
【図１４】
2018046028.tif 000016
【図１５】
2018046028.tif 000017
【図１６】
2018046028.tif 000018
【図１７】
2018046028.tif 000019
【図１８】
2018046028.tif 000020
【図１９】
2018046028.tif 000021
【図２０】
2018046028.tif 000022
【図２１】
2018046028.tif 000023
【図２２】
2018046028.tif 000024
【図２３】
2018046028.tif 000025
【図２４】
2018046028.tif 000026
【図２５】
2018046028.tif 000027
【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
シールドケースと、該シールドケースの前面に着脱自在に取り付けられる端子台とを備える直列ユニットの端子台であって、
縦に長い矩形状の台本体には、前記シールドケースの前面から突出するよう設けられた出力端子の位置に対応して高さが高くされた凸部が形成され、該凸部には前記出力端子が挿通される円筒孔が形成されており、前記台本体には前記出力端子が設けられていない位置に対応して凹部が形成され、該凹部の両側においてほぼ対角線上に形成された一対の矩形溝とされた係合手段が設けられており、該係合手段により前記凹部に端子台ブランクが装着された際に、前記凹部の高さが前記凸部とほぼ同じ高さとなり、前記係合手段は前記凹部に前記端子台ブランクを取り外し自在に係合することができるようにされており、
前記端子台ブランクは、両側部を形成する壁部においてほぼ対角線上の位置から後方へ突出するよう形成された一対の係止片を有し、前記凹部に装着された際に、前記一対の係止片が前記一対の矩形溝とされた前記係合手段に係合されることを特徴とする端子台。
【請求項２】
シールドケースと、該シールドケースの前面に着脱自在に取り付けられる端子台とを備える直列ユニットの端子台であって、
縦に長い矩形状の台本体には、前記シールドケースの前面から突出するよう設けられた出力端子の位置に対応して高さが高くされた凸部が形成され、該凸部には前記出力端子が挿通される円筒孔が形成されており、前記台本体には前記出力端子が設けられていない位置に対応して凹部が形成され、該凹部の両側においてほぼ中央位置に形成された一対の矩形溝とされた係合手段が設けられており、該係合手段により前記凹部に端子台ブランクが装着された際に、前記凹部の高さが前記凸部とほぼ同じ高さとなり、前記係合手段は前記凹部に前記端子台ブランクを取り外し自在に係合することができるようにされており、
前記端子台ブランクは、両側部を形成する壁部においてほぼ中央位置から後方へ突出するよう形成された一対の係止片を有し、前記凹部に装着された際に、前記一対の係止片が前記一対の矩形溝とされた前記係合手段に係合されることを特徴とする端子台。
【請求項３】
シールドケースと、該シールドケースの前面に着脱自在に取り付けられる端子台とを備える直列ユニットの端子台であって、
縦に長い矩形状の台本体には、前記シールドケースの前面から突出するよう設けられた出力端子の位置に対応して高さが高くされた凸部が形成され、該凸部には前記出力端子が挿通される円筒孔が形成されており、前記台本体には前記出力端子が設けられていない位置に対応して凹部が形成され、該凹部のほぼ四隅に形成された４つの矩形溝とされた係合手段が設けられており、該係合手段により前記凹部に端子台ブランクが装着された際に、前記凹部の高さが前記凸部とほぼ同じ高さとなり、前記係合手段は前記凹部に前記端子台ブランクを取り外し自在に係合することができるようにされており、
前記端子台ブランクは、両側部を形成する壁部においてほぼ四隅から後方へ突出するよう形成された４つの係止片を有し、前記凹部に装着された際に、前記４つの係止片が前記４つの矩形溝とされた前記係合手段に係合されることを特徴とする端子台。
【請求項４】
シールドケースと、該シールドケースの前面に着脱自在に取り付けられる端子台とを備える直列ユニットの端子台であって、
縦に長い矩形状の台本体には、前記シールドケースの前面から突出するよう設けられた出力端子の位置に対応して高さが高くされた凸部が形成され、該凸部には前記出力端子が挿通される円筒孔が形成されており、前記台本体には前記出力端子が設けられていない位置に対応して凹部が形成され、該凹部の両側には係合手段が設けられており、該係合手段により前記凹部に端子台ブランクが装着された際に、前記凹部の高さが前記凸部とほぼ同じ高さとなり、前記係合手段は前記凹部に前記端子台ブランクを取り外し自在に係合することができるようにされており、
前記端子台ブランクは、両側部を形成する壁部から後方へ突出するよう形成された係止片を有し、前記凹部に装着された際に前記係止片が前記係合手段に係合され、
前記直列ユニットの出力端子の数が１個とされている場合は、前記凹部が上部と下部とに形成され、前記凸部が中央に形成されることを特徴とする端子台。